(57)【要約】【課題】  少ない構成要素からなり、乾電池を利用することが可能で、移動設置容易性もあり、幅広い用途に応用できる導光性面状体発光装置の光導入部構造。【解決手段】  断面が多角形状の不透明長尺カバー部材内部にＬＥＤ発光ユニットを取り付け、カバー部材の谷部に形成したスリット部に導光性面状体を挟持させ、光源からの光をスリットを通して導光性面状体に導入するようにした面状体発光装置の光導入構造体。【選択図】図５
2010129532.tif 000002
【特許請求の範囲】
【請求項１】
断面が多数角形状の不透明で内面が反射性の長尺カバー内部に、長さ方向に沿うように、複数個のＬＥＤを所定間隔で基板上に配置してなる帯状発光ユニットを一本または二本以上取り付け、長尺カバーの角部（谷部）にスリットを形成し、そのスリットに導光性素材からなる面状体を挿入して、長尺カバーの端部を不透明エンドキャップで留めたことを特徴とする導光性面状体発光装置の光導入構造体。
【請求項２】
導光性面状体挟持部に挿入される導光性素材としては、光ファイバーを織り込んで成る光ファイバークロス、ガラス板またはアクリル樹脂を含むプラスチック板であることを特徴とする請求項１の導光性面状体発光装置の光導入構造体。
【発明の詳細な説明】
【技術分野】
【０００１】  本発明はＬＥＤ光源からの光を均一に透光性面状体に導入する発光装置における光導入構造体に関する。
【背景技術】
【０００２】  従来、面状体照明としてはアクリル板やガラス板のエッジ部分に蛍光灯を配してその板状体の端面部から光を導入する構造、ＬＥＤからの光を光ファイバーの一端から入射して先端部から出射する構造、あるいは光ファイバーを織製した光ファイバークロスから光ファイバーを数本づつまとめて光導入部を形成している、などの例が見られる。
図８に示す第一従来例の特開２００２−２４５８３１号「光源装置」においては両端からの入射光を９０度向きを変えて面状体方向へ出射させる手段として多数の束ねた光ファイバーを先端方向を９０度曲げて各光ファイバーの先端部をもって出射面全域をカバーするという面倒な製造工程を経なければならない。【０００３】  光ファイバークロスによる照明織物への光導入について開示された例が第二従来例の特表２００４−５０６１０６「照明織物及びそれから作られた物品」に見られる。
この発明においては図９のように織物を構成する繊維類（光ファイバー）の自由端で光学的に光源（ＬＳ）と連結する構造となっており、織物からそれぞれ間隔を持って引き出した複数本の光ファイバーを一箇所の光源にまとめて光導入連結しなければならない。
これらはいずれも光ファイバー集束方法や光導入連結部などの製作工程が厄介で、特定の対象物に対しての用途しか考慮されていない。
【特許文献】特開２００２−２４５８３１号公報
【特許文献】特表２００４−５０６１０６号公報
【発明の開示】
【発明が解決しようとする課題】
【０００４】  本発明は製作部品構成を少なくして製作工程の簡素化を図り、各種用途への展開応用性のある構造とし、さらにメインテナンスに伴う光源部の交換だけでなく、輝度を高める必要が生じたり、発光色を変えたいときなどのＬＥＤ光源部の交換が極めて容易な面状体発光装置への光導入構造体としたものである。
【課題を解決するための手段】
【０００５】  本発明の面状体発光装置への光導入構造は、面状体の端面から光を均一に入射させるために、光源である複数のＬＥＤを所定間隔で設けた帯状発光ユニットを多角形状カバー内部に配置して多角形状内部の乱反射効果を利用した構造を採用している。【０００６】  さらに均一な導入光量を得るため、および各種用途に対応可能とするために設置し易くバランスのとり易い形状として発光ユニットのカバーの断面形状として多角形を採用した。この場合の多角形状は製作容易性、応用性および設置性を考慮すると五角形がバランス安定上好ましいが、多角形であれば偶数、奇数を問わず本発明の実施に有効である。
【発明の効果】
【０００７】  本発明の構成により、帯状発光ユニットの光源としてＬＥＤを使用しているので、省電力化が可能となり、発光輝度や色彩を変えたいとき、あるいは発光ユニット部の不具合による取り替え等のメインテナンスが簡単にできる。例えば、帯状発光ユニット設置部の構造を帯状発光ユニットをマジックテープ（登録商標）または両面テープを介して留める方法が簡易であるが、あらかじめ設置した発光ユニット保持板に横から長さ方向にスライド挿入して両端部をエンドキャップで留めることにより速やかに交換ができる装着構造などを採用してもよく、この場合、電池格納部をエンドキャップ部に設けて帯状発光ユニット端部の電気接点部を電池電源部に嵌着するようにすれば、どこにでも移動配置できる発光装置となる。【０００８】  電力消費の少ないＬＥＤ使用により、長尺カバー端部に電池電源を設けることができ、耐重量性のある長尺カバー素材を使用すればそれ自体が支柱としての役割を果たすことができ、導光性面状体を吊り下げる支持材として使用ができる。各種用途としての展開性はきわめて大で、室内においては壁面、天井、床面、等の面装飾あるいは面照明、光ファイバークロスを織製したタペストリーやカーテン、ブラインドなどに利用可能である。
また、光ファイバークロス製の暖簾や広告用のぼりの支持材として使用すると、風に吹かれて揺れたり、ひとが触れるたびに光ファイバークロスの湾曲形成部からの漏洩光により文字や模様が浮き出て極めて効果的である。
【発明を実施するための最良の形態】
【０００９】  不透光性素材でその内面は高い反射性を有する素材を使用して長尺のカバー部材を作成する。
この長尺カバー部材１は一枚または複数枚の不透明板状カバー材料を折り曲げて断面が多角形状となるように、かつ、角部（谷部）７にスリット８を伴うように形成する。図１に示すような断面五角形状カバー部材１の場合は一枚の板状体を図２のように一辺が均等な三辺を形成するように折り曲げたカバー用板材２を二枚、対称形に向かい合わせて、かつ、図３の矢印方向に上部辺を重ね合わせて断面が五角形状のカバー部材を作成する。必要に応じて断面が三角形状のカバー部材を作成する場合にはカバー構成単体となる一枚の板状体を中央部から折り曲げたものを二枚を一辺を重ねて前述のようにカバー部材とすれば良く、同様の方法により、所望の多角形状のカバー部材を作成することができる。
このカバー板材２の内面３は高い反射性を有する素材を使用または反射性を持たせるよう処理を施しても良い。【００１０】  前記カバー部材１の角部（谷部）７のスリット８に、図４に示すような二枚の断面が「くの字」形の板材９を対称形となるように合わせてＹ字形の導光性面状体挟持部４を係合挿入し、両端にエンドキャップ１０を嵌めて図５の面状体発光装置の光導入構造体を作成する。
このカバー部材１内側には図６の帯状発光ユニット５を取り付ける。この帯状発光ユニット５はＬＥＤ６を所定間隔で基板上に配置したもので、両面テープまたはマジックテープ（登録商標）等の適宜方法によりカバー部材内面部に１本、必要により複数本を取り付けて光源とする。【００１１】  本発明は、カバー用板材２、面状体挟持用板材９およびエンドキャップ１０がそれぞれ同一形状のもの一対を使用し、これらと光源となる帯状発光ユニット５の少ない基本構成要素で、導光性面状体１１への光導入構造部を作成することができる。【００１２】  電源の配置または電源と発光ユニットとの配線・接続部分については前述のエンドキャップ１０内への組み込み電源に限らず、ＡＣアダプター使用による方法、長尺カバー部材１をポール支柱のように垂直使用して電源をそのポール支持基盤内に設けたり、用途に応じて適宜周知の方法を採用することができる。【００１３】  また、導光性面状体１１の挟持方法としては、周知の締め付け挟持方法を採用すれば良いが、一例としてスリット幅の緩みが生じないようにエンドキャップ１０をかぶせるように装着してカバー部材１およびスリット部８の広がりを規制するような構造を採用しても良く、または適当な締め付け手段で面状体挟持部４を留めても良い。【００１４】  導光性面状体１１がガラス製またはアクリル製の場合は、導光性面状体１１の一端の辺部を平面部分とは別に棒形状の厚みを持たせる形状を採用しても良い。即ち、断面多角形状カバー部材の角部（谷部）７のスリット部８に係合挿入しているＹ字形の面状体挟持部４の形成している隙間（スリット部の隙間）の幅より大となるようにガラス製またはアクリル製の辺部を形成して長尺カバー部材１の端部からスライド挿入して、スリット部８に設けられたＹ字状面状体挟持部４の隙間から抜け出ないようにして、挟持部４が広がらないように留めても良い。このような構造によれば導光性面状体１１の交換が速やかにできる。
プラスチック製光ファイバーを織製した光ファイバークロスから成る導光性面状体１１は、前述と同様に、その一辺端部を熱融着する際にスリット部隙間から抜け落ちないようにスリット部隙間の幅より大径の棒状体の融着部を成形することにより面状体挟持部４に支持させることができる。
また、前述の各種導光性面状体１１の挟持される部分にマジックテープ（登録商標）を貼着しておき、図４のＹ字形挟持部４に設けたマジックテープ（登録商標）１２に貼着させて挟持するようにしても良い。【００１５】  図７は本発明の導光性面状体への光導入構造体を使用して天井・梁等の上部から導光性面状体１１を吊り下げる場合のカバー部材１の固定手段の一例で、堅牢な素材から成る一対のカバー部材固定支持体１４を天井部等に取り付け、その内部に光源ＬＥＤ６を内蔵したカバー部材１を包み込むように固定支持すると安定取り付けができる。
【図面の簡単な説明】
【００１６】
【図１】  本考案の五角形状カバー部材の斜視図である。
【図２】  本考案のカバー用板材を三辺に折り曲げた斜視図である。
【図３】  本考案のカバー用板材を向かい合わせて断面五角形状カバー部材を構成する過程を示す図である。
【図４】  本考案の導光性面状体挟持部の断面図である。
【図５】  本考案の面状体発光装置の光導入構造体の図である。
【図６】  本考案の帯状発光ユニットの斜視図である。
【図７】  本考案のカバー部材固定支持体の図である。
【図８】  第一従来例の図である。
【図９】  第二従来例の図である。
【符号の説明】
【００１７】  １  カバー部材
２  カバー用板材
３  カバー反射性内面
４  Ｙ字形導光性面状体挟持部
５  帯状発光ユニット
６  ＬＥＤ
７  角部（谷部）
８  スリット
９  「くの字」形挟持用板材
１０  エンドキャップ
１１  導光性面状体
１２  マジックテープ（登録商標）
１３  カバー部材固定支持体
【図１】
2010129532.tif 000003
【図２】
2010129532.tif 000004
【図３】
2010129532.tif 000005
【図４】
2010129532.tif 000006
【図５】
2010129532.tif 000007
【図６】
2010129532.tif 000008
【図７】
2010129532.tif 000009
【図８】
2010129532.tif 000010
【図９】
2010129532.tif 000011